(57)【要約】  【課題】  全く別の装置の存在を前提とすることなく，所定の出力対象画像を表示手段に表示中の電子機器において，その出力対象画像の表示状態を中断させずに取扱説明情報の表示も行え，また，表示手段への画像出力機能に異常がある場合でも取扱説明情報の表示を可能とする。  【解決手段】  当該電子機器Ｘの取扱説明情報をＥＥＰＲＯＭ８ｃ，７３に予め記憶し，映像処理回路４から出力される出力対象映像をモニタ画面２１に表示させているときに，操作部７１を通じて所定の操作入力が検知された場合に，前記取扱説明情報を前記出力対象映像とともに，透かし表示やマルチ画面表示によってモニタ画面２１に表示させる。また，前記取扱説明情報の一部若しくは全部をリモコン７側に記憶させ，それをリモコン７に設けられた表示部７４に表示させる。【選択図】図１
2006211315.tif 000002
【特許請求の範囲】
【請求項１】
所定の出力対象画像を表示手段に表示させる表示制御手段と当該電子機器本体及び／若しくは当該電子機器本体に無線信号を伝送するリモコン手段に設けられた操作入力手段とを具備する電子機器であって，
当該電子機器の取扱説明情報を記憶する取説情報記憶手段を具備し，
前記表示制御手段が，
前記出力対象画像を前記表示手段に表示させているときに前記操作入力手段を通じて所定の操作入力が検知された場合に，前記取説情報記憶手段に記憶された前記取扱説明情報を前記出力対象画像とともに前記表示手段に表示させる取説表示制御手段を具備してなることを特徴とする電子機器。
【請求項２】
前記取説表示制御手段が，前記出力対象画像を背景画像として該出力対象画像上に前記取扱説明情報を重ねて前記表示手段に表示させる第１の取説表示制御手段を具備してなる請求項１に記載の電子機器。
【請求項３】
前記第１の取説表示制御手段が，前記表示手段に表示させる前記取扱説明情報の一部又は全部について背景の前記出力対象画像を透かして表示させてなる請求項２に記載の電子機器。
【請求項４】
前記取説表示制御手段が，前記表示手段の表示領域における異なる部分領域各々に前記出力対象画像と前記取扱説明情報とを個別に表示させる第２の取説表示制御手段を具備してなる請求項１〜３のいずれかに記載の電子機器。
【請求項５】
前記取説情報記憶手段の一部若しくは全部が前記リモコン手段に設けられ，
前記取説表示制御手段が，前記表示手段に表示させる前記取扱説明情報を前記リモコン手段から無線伝送により取得する取説情報リモコン取得手段を具備してなる請求項１〜４のいずれかに記載の電子機器。
【請求項６】
前記リモコン手段に設けられた前記取説情報記憶手段内の前記取扱説明情報を該リモコン手段において表示するリモコン側取説情報表示手段を具備してなる請求項５に記載の電子機器。
【請求項７】
前記リモコン側取説情報表示手段が，前記表示手段への画像表示の異常に関する前記取扱説明情報を表示してなる請求項６に記載の電子機器。
【請求項８】
前記リモコン側取説情報表示手段が，当該電子機器の取り扱いの概要に関する前記取扱説明情報を表示し，
前記取説表示制御手段が，当該電子機器の取り扱いの詳細に関する前記取扱説明情報を前記表示手段に表示させてなる請求項６に記載の電子機器。
【請求項９】
外部機器から前記取扱説明情報の更新情報を取得する更新情報取得手段と，
前記更新情報取得手段により取得された情報に基づいて前記取説情報記憶手段における前記取扱説明情報を更新する取説情報更新手段と，
を具備してなる請求項１〜８のいずれかに記載の電子機器。
【請求項１０】
前記更新情報取得手段が，外部記憶手段が着脱される着脱メモリソケットを備え，該着脱メモリソケットに装着された前記外部記憶手段から前記取扱説明情報の更新情報を取得してなる請求項９に記載の電子機器。
【請求項１１】
前記更新情報取得手段が，前記リモコン手段に設けられた通信接続手段を備え，該通信接続手段により所定の通信回線を通じて所定の情報提供装置から前記取扱説明情報の更新情報を取得してなる請求項９に記載の電子機器。
【請求項１２】
前記取扱説明情報に当該電子機器のサービス対応者に関する情報も含まれてなる請求項１〜１１のいずれかに記載の電子機器。
【発明の詳細な説明】
【技術分野】
【０００１】
本発明は，所定の出力対象画像を表示手段に表示させる機能を備えた電子機器に関し，特に，取扱説明情報もその表示手段に表示させる機能を備えた電子機器に関するものである。
【背景技術】
【０００２】
各種の電子機器には，販売時に製本化された取扱説明書が添付され，利用者によってその取扱説明書が読まれて電子機器の操作がなされることが建て前である。しかしながら，一般に，取扱説明書は，電子機器の使用開始時に必要最低限の情報を得るために読まれた後は，どこかへしまっておかれてほとんど読まれないことが多い。その結果，電子機器が備える各種の機能が有効活用されなかったり，操作手順がその利用者の感覚に合わないことが原因で，電子機器の操作性が悪いと評価されたりする。そこで，特許文献１には，製品のキャビネットやケースに取扱説明書の収納部を設け，取扱説明書を必要なときに速やかに取り出せるようにすることが提案されている。
しかしながら，各家庭内には多くの電子機器が存在する上，昨今は各電子機器の多機能化により取扱説明書のページ数が増大しているため，取扱説明書の収納に大きな空間スペースが必要となるという問題点がある。特に，テレビ受像機や動画再生装置（ＤＶＤプレーヤー等），携帯電話機等，液晶パネルやＣＲＴディスプレイ等の表示手段に各種の画像を表示させる機能を備えた電子機器（以下，画像出力電子機器という）は，比較的少ない操作部を備えるだけで，メニュー画面の表示等により多くの機能の中から必要な機能を選択できることから多機能である場合多く，取扱説明書の必要収容スペースが特に大きくなる。
これに対し，特許文献２には，マニュアルデータ（取扱説明書情報）を記憶し，その表示部にマニュアルデータを表示させるデジタルカメラが示されている。
また，特許文献３や特許文献４等には，取扱説明書の情報をインターネット等の通信回線を通じて提供するシステムが各々示されている。
【特許文献１】特開平８−２８８６６４号公報
【特許文献２】特開２００４−１２８８２０号公報
【特許文献３】特開平１０−６３６８２号公報
【特許文献４】特開２００２−１８３３５８号公報
【発明の開示】
【発明が解決しようとする課題】
【０００３】
ところで，利用者は，電子機器を使用中にその取扱説明情報を必要とする場合が多い。しかしながら，前記画像出力電子機器においては，その使用中，即ち，テレビ番組の映像等の出力対象画像を表示手段に表示させている最中に，特許文献２に示されるようにその表示画面を取扱説明情報の表示画面に切り替えることはその使用を一時中断させることになり好ましくないという問題点があった。
また，特許文献３や特許文献４に示されるように，電子機器の使用中に，その取扱説明情報を得るためにわざわざインターネット接続環境にある計算機等の全く別の装置を立ち上げて参照するといった煩わしい作業を利用者に強いても，結局，使用されない可能性が高いという問題点があった。
さらに，特許文献２に示される技術では，表示手段への画像（情報）出力機能に異常がある場合には，その異常に関する取扱説明情報を表示させることができないという問題点もあった。
従って，本発明は上記事情に鑑みてなされたものであり，その目的とするところは，全く別の装置（インターネット接続環境にある計算機等）の存在を前提とすることなく，所定の出力対象画像を表示手段に表示中の電子機器において，その出力対象画像の表示状態を中断させずに取扱説明情報の表示も行え，また，表示手段への画像出力機能に異常がある場合でも取扱説明情報の表示を可能とする電子機器を提供することにある。
【課題を解決するための手段】
【０００４】
上記目的を達成するために本発明は，所定の出力対象画像を表示手段に表示させる表示制御機能を備え，当該電子機器本体やその本体に無線信号を伝送するリモコン手段に操作入力手段が設けられた電子機器に適用されるものであり，当該電子機器の取扱説明情報を記憶手段に予め記憶し，前記表示制御機能において，前記出力対象画像を前記表示手段に表示させているときに前記操作入力手段を通じて所定の操作入力が検知された場合に，予め記憶された前記取扱説明情報を前記出力対象画像とともに前記表示手段に表示させるものである。ここで，前記取扱説明情報は，当該電子機器のサービス対応者に関する情報（連絡先，所在地等）等も含み得るものである。
これにより，全く別の装置の存在を前提とすることなく，所定の出力対象画像を表示手段に表示中に，その表示状態を中断させずに取扱説明情報の表示も併せて行うことが可能となる。
例えば，前記出力対象画像を背景画像としてその出力対象画像上に前記取扱説明情報を重ねて前記表示手段に表示させる制御（第１の取説表示制御）を行えば，前記取扱説明情報を表示させつつ，背景画像として前記出力対象画像の表示も継続させることができる。この場合，前記表示手段に表示させる前記取扱説明情報の一部又は全部について，背景の前記出力対象画像を透かして（半透明状態で）表示させれば，前記出力対象画像の表示がより優先された状態で表示される。
また，前記表示手段の表示領域における異なる部分領域各々に前記出力対象画像と前記取扱説明情報とを個別に表示させる（いわゆるマルチ画面表示にする）ことも考えられる。これにより，前記出力対象画像は縮小表示されることになるが，前記取扱説明情報との混在表示が避けられわかりやすい表示となる。
【０００５】
また，前記取扱説明情報の一部若しくは全部を前記リモコン手段側に設けられた記憶手段に記憶し，前記表示手段に表示させる前記取扱説明情報を，そのリモコン手段から無線伝送により取得する構成も考えられる。この場合，前記リモコン手段側に記憶された前記取扱説明情報を，当該リモコン手段において表示させる手段（リモコン側取説情報表示手段）を設ければなお好適である。
例えば，前記リモコン手段側において，前記表示手段への画像表示の異常に関する前記取扱説明情報を表示させるようにすれば，本体側における前記表示手段への画像（情報）出力機能に異常がある場合でも，必要な情報を参照することが可能となる。
また，前記リモコン手段側において，当該電子機器の取り扱いの概要に関する前記取扱説明情報を表示し，本体側において，当該電子機器の取り扱いの詳細に関する前記取扱説明情報を前記表示手段に表示さるようにすれば，前記出力対象画像の表示に極力影響を与えないようにしつつ，前記取扱説明情報を表示させることができる。
また，外部機器から前記取扱説明情報の更新情報を取得し，取得された情報に基づいて前記取扱説明情報の記憶内容を更新する機能を備えれば，前記取扱説明情報のバージョンアップに柔軟に対応できる。
例えば，前記更新情報を取得するインターフェースとして，メモリカード等の外部記憶手段が着脱される着脱メモリソケットを備え，その着脱メモリソケットに装着された前記外部記憶手段から前記取扱説明情報の更新情報を取得する構成が考えられる。これにより，当該電子機器の本体がテレビ受像機等の容易に移動できない機器であって，その周囲に外部装置との通信接続環境（インターネット等）が存在しない場合でも，パーソナルコンピュータ等によりインターネット等を通じて前記外部記憶手段にダウンロードした前記更新情報を取得することができる。
また，前記リモコン手段に通信接続手段を設け，その通信接続手段によりインターネット等の通信回線を通じて所定の情報提供装置（サーバ装置）から前記取扱説明情報の更新情報を取得する構成も考えられる。
これによっても，前記リモコン手段をインターネット等の通信回線に接続可能な場所に持ち運んで，前記更新情報をダウンロードすることが容易となる。
もちろん当該電子機器が，元々通信手段を備える携帯電話機等であれば，その通信手段を通じて前記更新情報が取得されるよう構成すればよい。
【発明の効果】
【０００６】
本発明によれば，予め記憶した当該電子機器の取扱説明情報を，透かし表示やマルチ画面表示によって所定の出力対象画像とともに表示手段に表示させるので，全く別の装置の存在を前提とすることなく，前記出力対象画像の表示状態を中断させずに取扱説明情報の表示も併せて行うことが可能となる。
また，前記取扱説明情報の一部若しくは全部を前記リモコン手段側に記憶させ，それを当該リモコン手段において表示させる手段を設ければ，例えば，本体側における前記表示手段への画像出力機能に異常がある場合に，その異常に関する取扱説明情報を前記リモコン手段側で表示させ，必要な情報を参照することが可能となる。また，概略の取扱説明情報は前記リモコン手段側で表示させ，より詳細な取扱説明情報についてのみ，本体側の機能によって前記表示手段に表示させることで，前記出力対象画像の表示に極力影響を与えないようにしつつ，取扱説明情報を表示させることができる。
また，外部機器から前記取扱説明情報の更新情報を取得し，取得された情報に基づいて前記取扱説明情報の記憶内容を更新する機能を備えれば，前記取扱説明情報のバージョンアップに柔軟に対応できる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る電子機器の一例であるテレビジョン受像機Ｘの概略構成を表すブロック図，図２はテレビジョン受像機Ｘにおける取扱説明情報の表示処理の手順を表すフローチャート，図３はテレビジョン受像機Ｘにおける取扱説明情報の表示画面の一例を表す図，図４はテレビジョン受像機Ｘが備えるリモコンにおける取扱説明情報の表示画面の一例を表す図である。
【０００８】
まず，図１に示すブロック図を用いて，本発明の実施形態に係る電子機器の一例であるテレビジョン受像機Ｘの構成について説明する。当該テレビジョン受像機Ｘは，モニタ画面（表示手段の一例）にテレビ番組映像等の画像を表示させる機能を備えた電子機器の一例であり，当該テレビジョン受像機Ｘの取扱説明情報を前記モニタ画面に表示させる取説情報表示制御機能を備えている。
図１に示すように，テレビジョン受像機Ｘは，その本体に，複数のチューナ１ａ，１ｂ，１ｃと，外部入力部２と，映像切替回路３と，映像処理回路４と，映像合成回路５と，リモコン７と，制御回路８と，リモコンインターフェース（Ｉ／Ｆ）回路９と，モニタ画面２１と，音声切替回路１０と，音声処理回路１１と，アンプ２２と，スピーカ２３とを具備している。また，本体と分離したリモコン７も具備している。なお，テレビジョン受像機Ｘは，図１に示す他に，通常のテレビジョン受像機が備える他の構成要素も備えるが，ここでは説明を省略する。
前記チューナ１ａ，１ｂ，１ｃは，各々地上波放送信号（テレビ放送信号）が入力される地上波チューナ１ａ，ＢＳ衛星放送信号が入力されるＢＳチューナ１ｂ，ＣＡＴＶ放送信号が入力されるＣＡＴＶチューナ１ｃであり，入力された各放送信号から，前記制御回路８により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。なお，各放送信号には，複数チャンネル分の映像信号及びその映像と同期した音声信号が重畳されている。
また，前記外部入力部２は，外部からコンポジット方式の映像信号及び音声信号や，セパレート方式の映像信号及び音声信号（いわゆるＳ端子の信号）等の外部入力映像信号及び外部入力音声信号を入力し，それらを前記映像切替回路３及び前記音声切替回路１０各々へ伝送するインターフェースである。
前記映像切替回路３は，前記チューナ１ａ，１ｂ，１ｃ各々からの映像信号及び前記外部入力部２からの映像信号を入力し，それらの映像信号のうちの任意の１つの映像信号を前記制御回路８からの指示に従って選択して出力するものである。
【０００９】
前記映像処理回路４は，前記映像切替回路３から出力された映像信号に対して各種信号処理を行うものである。例えば，映像信号から水平及び垂直同期信号の分離，その同期信号に位相同期したクロック信号の生成，映像信号からの輝度信号及び色信号の分離，所定の画質改善処理等を行い，処理後の映像信号を前記映像合成回路５に出力する。
前記映像合成回路５は，前記映像処理回路４から伝送される映像信号を前記モニタ画面２１に出力することにより，前記映像処理回路４による処理後の映像信号をそのまま前記モニタ画面２１に表示させるか，その映像信号に前記制御回路８から指示された情報を重ねた（合成した）映像信号（合成映像信号）を生成し，その合成映像信号を前記モニタ画面２１に表示させるかを切り替えるものである。
【００１０】
前記モニタ画面２１は，例えば，液晶パネル及びその周辺機器等からなる表示手段であり，前記映像合成回路５から出力される映像信号を表示するものである。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ｂが実行する処理によって読み出し又は書き込みが行われる各種情報を記憶するＥＥＰＲＯＭ８ｃ等を備え，当該テレビジョン受像機Ｘ全体を制御するものである。
前記リモコンインターフェース回路９は，当該テレビジョン受像機Ｘの操作用のリモコン７（リモート操作器）から，赤外線伝送等の無線伝送によって前記リモコン７に対する操作入力情報を取得し，その操作入力情報を前記制御回路８に出力するものである。
例えば，チャンネル選択が行われる場合，前記リモコン７のチャンネル選択キーに対する操作入力の情報が，前記リモコンインターフェース回路９を通じて前記制御回路８に入力され，その操作入力情報に従って，前記制御回路８により，前記チューナ１ａ，１ｂ，１ｃのいずれかに対して選局するチャンネルが指定されるとともに，そのチャンネルの映像が前記モニタ画面２１に表示されるように前記映像切替回路３及び前記映像合成回路５が制御される。
同様に，音量調節が行われる場合，前記リモコン７の音量ボリューム調節キー（音量のアップキーとダウンキー）に対する操作入力情報に従って，前記制御回路８から前記アンプ２２に対して出力音量の調節指令が出力され，その指令に従って前記アンプ２２により前記スピーカ２３に対する出力音量が調節される。
【００１１】
前記音声切替回路１０は，前記チューナ１ａ，１ｂ，１ｃ各々からの音声信号及び前記外部入力部２からの音声信号が入力され，それらの音声信号のうちの任意の１つの音声信号を，前記制御回路８からの指示に従って前記音声処理回路１１に出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記スピーカ２３に出力するものである。
なお，テレビジョン受像機Ｘのうち，前記制御回路８及び前記映像合成回路５が，前記映像処理回路４の出力映像（以下，出力対象映像という（出力対象画像の一例））を前記モニタ画面２１（表示手段）に表示させる表示制御手段として機能する部分である。
また，テレビジョン受像機Ｘの本体に無線信号を伝送する前記リモコン７（リモコン手段）は，各種押しボタンスイッチ等からなる操作入力手段である操作部７１と，前記操作部７１で検知された操作入力に従って，テレビジョン受像機Ｘ本体に赤外線伝送等の無線伝送によって動作指定用の無線信号を送信する無線送信部７２と，各種データを記憶するＥＥＰＲＯＭ７３と，そのＥＥＰＲＯＭ７３の記憶情報や前記操作部７１の操作状態等を表示する液晶パネル等の表示手段である表示部７４と，メモリカードソケット７５と，これら各構成要素を制御するＭＰＵ７０とを具備している。また，前記操作部７１には，後述する取扱説明情報を表示させるための専用操作キーである取説キー７１ａが設けられている。
なお，前記リモコン７における前記操作部７１に相当する操作入力手段が本体側にも設けられているが，図１においては省略されている。以下，前記リモコン７における前記操作部７１に対する操作入力に応じて実行される処理は，本体側の操作入力手段から相当する操作入力がなされた場合にも実行される。
前記メモリカードソケット７５は，着脱可能な外部メモリカード（外部記憶手段の一例）が着脱されるメモリインターフェースであり（着脱メモリソケットの一例），このメモリカードソケット７５に装着された外部メモリカードの記憶情報は，前記ＭＰＵ７０によって読み取られ，前記ＥＥＰＲＯＭ７３への書き込みが可能である。また，前記無線送信部７２を通じて本体側へ無線伝送され，前記制御回路８によって本体側の前記ＥＥＰＲＯＭ８ｃに書き込むことも可能である。
【００１２】
次に，図２に示すフローチャートと図３に示す画面例とを用いて，テレビジョン受像機Ｘにおける取扱説明情報の表示処理について説明する。
以下に示す前記制御回路８の処理は，前記ＭＰＵ８ａが前記ＲＯＭ８ｂに予め記憶された制御プログラムを実行することにより具現される。また，Ｓ１，Ｓ２，…は，前記制御回路８の処理手順（ステップ）の識別符号を表す。
前記制御回路８は，前記出力対象映像を前記モニタ画面２１に表示させている最中に，前記リモコン７に設けられた前記取説キー７１ａの操作がなされたか否かの状況を監視し（Ｓ１），前記取説キー７１ａの操作がなされたことが，前記リモコンインターフェース回路９を通じて検知されると，それに応じて，前記映像合成回路５を制御することにより，図３（ａ）に示すような前記出力対象映像ｇ１と当該テレビジョン受像機Ｘの取扱説明情報の選択メニュー情報（取説メニュー）の画像ｇ２０との合成画面を前記モニタ画面２１に表示させる（Ｓ２）。前記選択メニュー情報は，当該テレビジョン受像機Ｘ１に関する複数の取扱説明情報のいずれかを特定する項目情報の集合である。
その際，前記制御回路８は，図３（ａ）に示すように，前記出力対象映像ｇ１を背景画像とし，その上に前記選択メニュー情報ｇ２０を重ねた合成画面を前記モニタ画面２１に表示させる。この重ね合わせによる合成画面表示がデフォルト設定であるが，後述する表示モード設定が「２画面」モードである場合には，前記制御回路８は，ステップＳ２において，前記出力対象映像ｇ１（縮小映像）と前記選択メニュー情報ｇ２０とを，各々別領域に並べて表示させる。
ここで，前記選択メニュー情報は，前記制御回路８における前記ＥＥＰＲＯＭ８ｃに予め記憶されている情報である。
【００１３】
次に，前記制御回路８は，前記リモコン７に設けられた前記操作部７１の２画面表示切替キー（不図示）の操作がなされたか否かを判別し（Ｓ３），その操作が検知されると，処理を以下に示すステップＳ４，Ｓ５を経てステップＳ６へ移行させ，その操作が検知されない場合は，そのまま処理をステップＳ６へ移行させる。
ステップＳ４では，前記制御回路８は，前記モニタ画面２１の表示モード設定を，その時点の設定が「重ね合せ」モードである場合には「２画面」モードへ変更し，「２画面」モードである場合には「重ね合せ」モードへ変更する。
さらに，ステップＳ５では，前記制御回路８は，前記映像合成回路５を制御することにより，前記表示モード設定に従った表示となるように出力する合成画面を変更する。即ち，前記表示モード設定が「重ね合せ」モードである場合には，図３（ａ）に示すように，前記出力対象映像ｇ１に前記選択メニュー情報ｇ２０を重ね合わせて表示させ，「２画面」モードである場合には，前記出力対象映像ｇ１と前記選択メニュー情報ｇ２０とを異なる領域に並べて表示させるよう，合成画面の内容を変更する（合成出力変更）。
次に，ステップＳ６では，前記制御回路８は，前記出力対象映像ｇ１と併せて表示させる前記選択メニュー情報ｇ２０について，前記リモコン７の前記操作部７１を構成するカーソル移動キー（上方向キーと下方向キー）等の操作の検知内容に従って，表示内容のスクロール処理や，前記項目情報のうち選択中の項目情報を指し示すカーソルｇ２ａの移動処理やそのカーソルｇ２ａの位置に対応する前記項目情報の特定処理等を行う項目選択処理を実行する。
【００１４】
さらに，前記制御回路８は，前記項目情報の選択を確定する操作として，前記リモコン７の決定キー（前記操作部７１の一部）の操作がなされたか否かを判別し（Ｓ７），その操作が検知されると，処理を以下に示すステップＳ８を経てステップＳ９へ移行させ，その操作が検知されない場合は，そのまま処理をステップＳ９へ移行させる。
ステップＳ８では，前記制御回路８は，前記映像合成回路５を制御することにより，図３（ｂ）又は（ｃ）に示すように，前記出力対象映像ｇ１と，ステップＳ７及びＳ８の処理で最終的に選択が確定した前記項目情報に対応付けられている当該テレビジョン受像機Ｘ１の取扱説明情報ｇ２１との合成画面を前記モニタ画面２１に表示させる（Ｓ８）。
前記取扱説明情報は，予め前記制御回路８におけるＥＥＰＲＯＭ８ｃに，前記項目情報各々と関連付けられて予め記憶されている（取説情報記憶手段の一例）。ここで，前記取扱説明情報には，当該テレビジョン受像機Ｘのサービス対応者（サービス営業所）に関する宛先情報や所在地の情報等も含まれている。
このように，前記制御回路８は，前記出力対象映像ｇ１を前記モニタ画面２１（表示手段の一例）に表示させているときに，前記取説キー７１ａ（操作入力手段の一例）を通じて操作入力が検知された場合（Ｓ１のＹ）に，前記ＥＥＰＲＯＭ８ｃ（取説情報記憶手段）に記憶された前記取扱説明情報を，前記出力対象映像ｇ１とともに前記モニタ画面２１に表示させる（取説表示制御手段の一例）。
【００１５】
また，ステップＳ８では，前記制御回路８は，前記表示モード設定が「重ね合せ」モードであるときは，図３（ｂ）に示すように，前記出力対象映像ｇ１を背景画像とし，その上に前記取扱説明情報ｇ２１を重ねて前記モニタ画面２１に表示させる（第１の取説表示制御手段の一例）。
この場合，背景の前記出力対象映像ｇ１に極力影響を与えないようにするため，前記モニタ画面２１に表示させる前記取扱説明情報の一部又は全部について，背景の前記出力対象映像ｇ１を透かして表示させることが考えられる。例えば，前記取扱説明情報ｇ２１を，予め定められたポイントとなるキーワードについては密につまった画素描画により表示させ，それ以外については，例えば１画素おきにすき間を空けた画素描画により表示させることにより，背景が透けた状態での表示となる。
また，その逆に，重ね合わせた前記取扱説明情報ｇ２１を，背景の前記出力対象映像ｇ１との関係で見づらくならぬよう，太文字の画像にする，文字に影を付けた画像にする，色を付けた文字の画像にする，ブランキングパルスを入れる等の強調表示をさせることが考えられる。
一方，前記表示モード設定が「２画面」モードであるときは，前記制御回路８は，図３（ｃ）に示すように，前記モニタ画面２１の表示領域における異なる部分領域各々に，前記出力対象映像ｇ１（縮小画像）と前記取扱説明情報ｇ２１とを並べて個別に表示させる（第２の取説表示制御手段の一例）。
この場合，前記操作部２１を通じた操作入力に従って，前記制御回路８により，２画面の各々の表示領域について，サイズを変更したり，位置を移動させたりすることも考えられる。
【００１６】
次に，前記制御回路８は，前記リモコン７に設けられた前記操作部７１から所定の「戻る操作」がなされたか否かを判別し（Ｓ９），その操作が検知されると，処理をステップＳ２に戻して前述の処理を繰り返す。
また，前記「戻る操作」がなされていない場合，前記制御回路８は，前記操作部７１から所定の「終了操作」がなされたか否かを判別し（Ｓ１０），その操作が検知されない場合は，処理をステップＳ３に戻して前述の処理を繰り返す。
一方，前記「終了操作」がなされていない場合は，前記選択メニュー情報ｇ２０又は前記取扱説明情報ｇ２１の合成を解除し，前記出力対象映像ｇ１のみを前記モニタ画面２１に表示させ（Ｓ１１），その後，処理をステップＳ１へ戻して前述の処理を繰り返す。
なお，前記取扱説明情報ｇ２１を表示中におけるステップＳ６の処理は，前記スクロール処理のみを行う。或いは，前記取扱説明情報ｇ２１の中に埋め込まれた前記項目情報（キーワード）を選択する前記項目選択処理を併せて行うことも考えられる。
以上の処理により，予め記憶した当該テレビジョン受像機Ｘの取扱説明情報が，透かし表示や２画面表示によって本来の前記出力対象映像ｇ１とともに前記表示パネル２１に表示させることができるので，パーソナルコンピュータ等の全く別の装置の存在を前提とすることなく，前記出力対象映像ｇ１の表示状態を中断させずに取扱説明情報の表示も併せて行うことが可能となる。
【００１７】
一方，前記リモコン７においては，前記ＭＰＵ７０が所定の制御プログラムを実行することにより，図２に示した前記制御回路８の処理と同期して，同様の処理を実行し，前記選択メニュー情報ｇ２０や前記取扱説明情報ｇ２１を，前記リモコン７が備える前記表示部７４に表示させる。
ここで，前記ＭＰＵ７０が前記表示部７４に表示させる前記選択メニュー情報ｇ２０や前記取扱説明情報ｇ２１は，前記リモコン７が備える前記ＥＥＰＲＯＭ７３に予め記憶されている（取説情報記憶手段の一部がリモコン手段に設けられた一例）。
具体的には，ステップＳ１において，前記取説キー７１ａの操作入力が検知された場合に，前記選択メニュー情報ｇ２０を前記表示部７４に表示させる（ステップＳ２に相当）。
また，ステップＳ６の処理と同期して，前記カーソル移動キー（前記操作部７１の一部）操作入力の検知内容に応じて，表示内容のスクロール処理やカーソルｇ２ａの移動処理及び前記項目選択処理を実行する。
さらに，ステップＳ７において，前記決定キーの操作入力が検知された場合に，ステップＳ７及びＳ８の処理で最終的に選択が確定した前記項目情報に対応付けられている当該テレビジョン受像機Ｘ１の取扱説明情報ｇ２１を，前記表示部７４に表示させる（リモコン側取説情報表示手段の一例，ステップＳ８に相当）。
これにより，本体側における前記モニタ画面２１への画像（情報）出力機能に異常がある場合でも，必要な取扱説明情報をリモコン側で参照することが可能となる。
この場合，例えば，前記リモコン７側において，前記モニタ画面２１への画像表示の異常に関する前記取扱説明情報のみを表示させるようにすることも考えられる。これにより，本体側とリモコン側との間での，前記取扱説明情報の重複記憶を極力少なくできる。
また，図４に示すように，前記リモコン７側においては，当該テレビジョン受像機Ｘの取り扱いの概要情報ｇ２２（取扱説明情報の一例）のみを前記表示部７４に表示させ，本体側において，取り扱いの詳細情報（取扱説明情報の一例）のみを前記モニタ画面２１に表示さるようにすれば，前記出力対象映像ｇ１の表示に極力影響を与えないようにしつつ，前記取扱説明情報を表示させることができる。
【００１８】
また，テレビジョン受像機Ｘは，前記リモコン７側の前記ＭＰＵ７０及び前記無線送信部７２と，本体側の前記リモコンＩ／Ｆ回路９及び前記制御回路８とが実行する処理により，外部機器から前記取扱説明情報の更新情報を取得し（更新情報取得手段の一例），その取得情報に基づいて前記ＥＥＰＲＯＭ７３，８ｃ各々（取扱説明情報記憶手段の一例）における前記取扱説明情報を更新する機能を備えている（取説情報更新手段の一例）。
具体的には，外部メモリカード（外部機器の一例）が着脱される前記メモリカードソケット７５（着脱メモリソケットの一例）に，前記取扱説明情報の更新情報（以下，更新情報という）が記憶された外部メモリカードに装着された状態で，前記操作部７１から所定のデータ更新操作がなされた場合に，前記ＭＰＵ７０は，前記外部メモリカードから前記更新情報を取得し，これに基づいて当該リモコン７側の前記ＥＥＰＲＯＭ７３内の前記取扱説明情報を更新するとともに，前記無線送信部７２を通じて，本体側にその更新情報を送信する。
一方，本体側の前記制御回路８は，前記リモコンＩ／Ｆ回路９を通じて前記更新情報を受信（取得）すると，その更新情報に基づいて前記ＥＥＰＲＯＭ８ｃ内の前記取扱説明情報を更新する。
これにより，前記取扱説明情報のバージョンアップに柔軟に対応できる。ここで，前記更新情報は，例えば，パーソナルコンピュータ等により，インターネット等を通じてダウンロードし，これを，当該パーソナルコンピュータに装着された前記外部メモリカードへ書き込むこと等によって得られる。
また，テレビ受像機Ｘの本体の周辺に，外部機器との通信接続環境（インターネット等）が存在しない場合でも，パーソナルコンピュータ等の他の装置を通じて前記外部メモリカードに記憶させた前記更新情報を取得することができる。
【００１９】
以上示した実施形態では，本体側の前記モニタ画面２１に表示させる前記取扱説明情報ｇ２１は，本体側の前記ＥＥＰＲＯＭ８ｃに，前記リモコン７側の前記表示部７４に表示させる前記取扱説明情報は，当該リモコン７側の前記ＥＥＰＲＯＭ７３に記憶するものであった。
しかし，これに限らず，前記取扱説明情報の全てを前記リモコン７側の前記ＥＥＰＲＯＭ７３に記憶させ，その取扱説明情報を前記リモコン７から本体側へ送信するとともに，前記リモコンＩ／Ｆ回路９及び前記制御回路８によりその情報を取得して（取説情報リモコン取得手段の一例），前記モニタ画面２１に表示させることも考えられる。
また，本体側の前記ＥＥＰＲＯＭ８ｃに，全ての前記取扱説明情報を記憶させることも考えられる。但しこの場合，前記リモコン７側でも前記取扱説明情報を表示させるには，前記リモコン７と本体側とで相互に情報を送受信できる通信手段を設ける必要がある。
同様に，前記メモリカードソケット７５を，本体側に設けた構成も考えられる。
【００２０】
また，前記リモコン７に，インターネット等のネットワークを介して所定の情報提供サーバとの通信を可能とする通信接続手段を設け，前記ＭＰＵ７０が，前記通信接続手段を制御してネットワークを通じて前記情報提供サーバから前記更新情報を取得する構成とすることも考えられる（更新情報取得手段の一例）。
これによっても，テレビ受像機Ｘの本体の周辺に通信接続環境（インターネット等）が存在しない場合でも，前記リモコン７を移動させて前記更新情報を取得することができる。
また，以上は，本発明の適用対象である電子機器として，テレビジョン受像機を例に実施形態を示した。しかし，本発明は，所定の出力対象画像を表示手段に表示させる制御手段と操作入力手段とが設けられた電子機器であれば，携帯電話機やデジタルカメラ，或いは外部接続されたモニタに映像（画像）を出力する映像再生装置（ＤＶＤプレイヤー等）等，他の電子機器にも適用可能である。
【産業上の利用可能性】
【００２１】
本発明は，所定の出力対象画像を表示手段に表示させる制御手段と操作入力手段とが設けられた電子機器に利用可能である。
【図面の簡単な説明】
【００２２】
【図１】本発明の実施形態に係る電子機器の一例であるテレビジョン受像機Ｘの概略構成を表すブロック図。
【図２】テレビジョン受像機Ｘにおける取扱説明情報の表示処理の手順を表すフローチャート。
【図３】テレビジョン受像機Ｘにおける取扱説明情報の表示画面の一例を表す図。
【図４】テレビジョン受像機Ｘが備えるリモコンにおける取扱説明情報の表示画面の一例を表す図。
【符号の説明】
【００２３】
Ｘ…テレビジョン受像機（電子機器）
１ａ，１ｂ，１ｃ…チューナ
２…外部入力部
５…映像合成回路
７…リモコン
８…制御回路
９…リモコンインターフェース回路
２１…モニタ画面
７４…リモコン側の表示部
７５…メモリカードソケット（着脱メモリソケット）
８ｃ，７３…ＥＥＰＲＯＭ（取扱説明情報記憶手段）
Ｓ１，Ｓ２，，，…ステップ（処理手順）
【図１】
2006211315.tif 000003
【図２】
2006211315.tif 000004
【図３】
2006211315.tif 000005
【図４】
2006211315.tif 000006